(57)【特許請求の範囲】
【請求項１】
側面に外気吸込み口が設けられるとともに、上面に吹出し口体を備えた上蓋部が設けられ、内部に室外熱交換器が収容配置される室外機本体と、
この室外機本体内に吹出し口体と対向して配置され、外気を上記外気吸込み口から室外機本体内に吸込んで室外熱交換器に導通させ、吹出し口体から吹出す室外送風機とを具備した空気調和機の室外機において、
上記上蓋部の吹出し口体の基端で、かつ上蓋部の隅角部に凹陥形成される取付け用凹部と、
この上蓋部の上記取付け用凹部を上記室外機本体上端に支持したうえで、上蓋部を室外機本体に取付け固定する取付け具とを具備したことを特徴とする空気調和機の室外機。
【請求項２】
上記上蓋部に設けられる上記取付け用凹部は、上記吹出し口体を覆い、吹出し口が雪によって塞がれるのを防止する防雪フードの取付け部を兼用したことを特徴とする請求項１記載の空気調和機の室外機。
【発明の詳細な説明】
【０００１】
【発明の属する技術分野】
本発明は、空気調和機の室外機に係り、防雪フードを取付けるための吹出し口体を備えた上蓋部構造の改良に関する。
【０００２】
【従来の技術】
特に、寒冷地向けの空気調和機においては、屋外に配置される室外機に対して種々の対策を施す必要がある。その一つとして、防雪対策があり、具体的には開口部が雪によって塞がれるのを防止する、防雪フードの取付けがある。
【０００３】
図７（Ａ）は、従来の、防雪フードが取付けられた空気調和機の室外機の斜視図であり、図７（Ｂ）は、防雪フードの室外機本体への取付け構造を説明する拡大した一部側面図である。
【０００４】
筐体からなる室外機本体１の各側面部に、外気吸込み口２が設けられ、この外気吸込み口２と対向する室外機本体１内部に室外熱交換器３Ｚが配置される。室外機本体１の上面部には、吹出し口がファンガード４で覆われる吹出し口体５Ｚが設けられ、本体内には室外送風機８が吹出し口体５と対向して配置される。
【０００５】
さらに、室外機本体１の上面部に、上記吹出し口体５を覆うように防雪フード６が取付けられている。この防雪フード６は、一側面のみ開口していて、室外送風機から吹出される風を一旦受け、開口部６ａから吹出し案内する。その一方で、防雪フード６は、降雪により吹出し口体５Ｚが閉塞されるのを防止する。
【０００６】
このような防雪フード６の開口部６ａを除く、側壁下端には、受け用辺部６ｂが一体に折曲形成され、室外機本体１の上面部に載る。受け用辺部６ｂは、複数の固定ネジ７によって室外機本体１の上面部に取付け固定される。
【０００７】
【発明が解決しようとする課題】
ところで、降雪時期は強風が吹付けることが多く、一側面のみ開口し、かつ開口面積の大きい防雪フード６は風の影響を受け易い。具体的には、図７（Ａ）に矢印で示すように、Ｘ方向とＹ方向に強い外力が作用し、防雪フード６はいずれの方向にも揺れる。
【０００８】
当然、風による外力なので、Ｘ方向に近いＹ方向や、Ｙ方向に近いＸ方向があり、さらにはＺ方向や、それに近い方向の力も加わる複雑な状態になる。いずれにしろ、外力はＸ方向とＹ方向に集約され、しかも固定ネジ７の挿入方向とは異なる方向であるので、その都度、防雪フード６は揺れを繰り返す。
【０００９】
上記防雪フード６は、単に、上記受け用辺部６ｂが室外機本体１の上面部に載り、固定ネジ７によって取付け固定されているだけであるから、比較的、取付け強度が弱い。
【００１０】
防雪フード６が強風を受けて揺れると、受け用辺部６ｂを介して固定ネジ７も揺れ、その影響で室外機本体１に設けられるネジ孔の周面が金属疲労を起す。ついには、ネジ孔周面が圧潰して固定ネジ７が外れ、防雪フード６が室外機本体１から脱落する虞れがある。
【００１１】
また、特開２００１−３４９５７９には、一人作業でも現地組立を簡便容易に行うことができる、安価で耐久性のある室外機防雪フードおよび防雪フード付き室外機が開示されている。
【００１２】
この技術では、室外機本体に係止部を設け、防雪フードに係止爪を備え、係止部に係止爪を嵌め入れる。また、室外機本体にフード取付ステーを取付け、防雪フードに設けられる係止結合取付部と、互いにネジ止めしている。
【００１３】
したがって、先に説明した防雪フードの取付け構造とは相違しているが、強風の影響を繰り返し受けることによる防雪フードの揺れが、室外機本体への取付け構造に強い影響を与えることには変わりがない。
【００１４】
すなわち、強風の影響を受けて防雪フードが繰り返し揺れると、係止爪や固定ネジがともに揺れて、係止爪やネジ孔周面が金属疲労を起す。ついには、係止爪が破断したり、ネジ孔周面が圧潰して固定ネジが外れる虞れがある。
【００１５】
さらにまた、従来、図８に示すように、室外機本体１内に収容配置される室外熱交換器３Ｚは、その上端面位置が、吹出し口体５Ｚと室外送風機８の取付け位置に規制され、高さ寸法を大きくとることができない。したがって、室外熱交換器３Ｚは、小型であり、熱交換容量を大きくすることができなかった。
【００１６】
共通の室外機本体１を使用することを前提として、すなわち室外機本体１の高さ寸法を変えずに、吹出し口体５Ｚの吹出し位置を図に二点鎖線で示すように高く上げ、同時に室外送風機８の位置を上方へずらすことにより、室外熱交換器３Ｚの上端位置を図に二点鎖線で示すように変更できる。
【００１７】
すなわち、室外熱交換器３Ｚの高さ寸法を上げて、この熱交換容量の増大化を図ることは可能である。その反面、室外機本体１の吹出し口体５Ｚを取付ける上端面位置は変わらないから、吹出し口体５Ｚを室外機本体１に取付けるための取付けネジ７は極めて全長の長いネジとなって、取付け作業が面倒である。
【００１９】
本発明の目的とするところは、室外機本体の高さ寸法を変えずに室外熱交換器の上端面位置を高くとり、室外熱交換器の熱交換容量の増大化を得る空気調和機の室外機を提供しようとするものである。
【００２２】
【課題を解決するための手段】
本発明の空気調和機の室外機は上記目的を満足するためになされたものであり、側面に外気吸込み口が設けられるとともに上面に吹出し口体を備えた上蓋部が設けられ内部に室外熱交換器が収容配置される室外機本体と、この室外機本体内に吹出し口体と対向して配置され外気を外気吸込み口から室外機本体内に吸込んで室外熱交換器に導通させ、吹出し口体から吹出す室外送風機とを具備した空気調和機の室外機において、上記上蓋部の吹出し口体の基端でかつ上蓋部の隅角部に凹陥形成される取付け用凹部と、この上蓋部の取付け用凹部を室外機本体上端に支持したうえで、上蓋部を室外機本体に取付け固定する取付け具とを具備した。
さらに、上記上蓋部に設けられる取付け用凹部は、吹出し口体を覆い吹出し口が雪によって塞がれるのを防止する防雪フードの取付け部を兼用した。
【００２３】
このような課題を解決する手段を採用することにより、上蓋部に備えた吹出し口体を防雪フードで覆う構成において、室外機本体の高さ寸法を変えずに室外熱交換器の上端面位置を高くとり、室外熱交換器の熱交換容量の増大化を得る。
【００２４】
【発明の実施の形態】
以下、本発明の実施の形態を図面にもとづいて説明する。
図１は、たとえば寒冷地向けとして最適な空気調和機における室外機を、一部破断し、かつ省略して示す斜視図である。
【００２５】
室外機本体１は、平面視でほぼ真四角状をなし、かつ所定高さの長方体形状の筐体からなる。室外機本体１の各側面部における上端から中間部に亘って、複数の横に長い長孔からなる外気吸込み口２が設けられる。
【００２６】
室外機本体１内には室外熱交換器３が収容され、各外気吸込み口２に対向するよう適宜な手段で配置固定される。この室外熱交換器３は、平面視で略鍵状をなす一対（２組）のものから構成されている。
【００２７】
室外機本体１底部上には、２台の圧縮機１０，１０が並置されている。各圧縮機１０は、各室外熱交換器３と連通しており、そのための図示しない配管類が圧縮機１０近傍に収容される。したがって、この空気調和機は２組の冷凍サイクル機器を搭載する、空調能力が中型以上のタイプである。
【００２８】
各圧縮機１０と離間する位置の室外機本体１底部上には、電気部品箱１１が配置される。この電気部品箱１１内には、上記圧縮機１０や、後述する室外送風機等を電気的に制御するための制御用電気部品が収容される。
【００２９】
一方、上記室外機本体１は上端が開口されていて、この上端開口部に別体の上蓋部１Ａが嵌合固着され、上端開口部を閉塞している。そして、上蓋部１Ａには、上方へ所定の高さで突出する吹出し口体５が一体に設けられる。
【００３０】
なお説明すれば、上蓋部１Ａは合成樹脂材を用いて成形されるものであり、平面視で矩形状をなし、上記吹出し口体５は上蓋部１Ａのほとんど大部分の面積を占める円形状をなす。この吹出し口体５に対向する室外機本体１内に、上記室外送風機８が配置される。
【００３１】
上記室外送風機８は、ファンモータＭと、ファンＦとから構成されていて、軸方向を上下方向に沿わせている。上記ファンモータＭが下部側にあって、室外機本体１の上端開口部に取付けられる支持用枠体１４に適宜な手段で取付け固定される。
【００３２】
上記ファンＦは、ファンモータＭの上部に突出する回転軸に取付けられていて、周面に４枚の羽根を備えたプロペラファンである。ファンＦの直径は上記吹出し口体５の直径よりも小に形成され、吹出し口体５内に挿入される。
【００３３】
一方、室外機本体１の上部を形成する上蓋部１Ａの四隅角部には、後述する防雪フードを取付けるための取付け用凹部１５が設けられる。なお、これら取付け用凹部１５は、その数に限定されるものではなく、少なくとも１つの隅角部にあればよい。
【００３４】
図２（Ａ）は、完成された空気調和機の室外機の外観を示す斜視図であり、図２（Ｂ）は、その一部である取付け用凹部１５を拡大した斜視図である。
上記吹出し口体５は、複数本のワイヤを所定間隔を存して並設してなるファンガード４によって覆われていて、上記室外送風機８の停止・送風中に拘わらず、故意もしくは偶然による異物の挿入等の危険を防止する。
【００３５】
上記取付け用凹部１５は、上蓋部１Ａの上端から下部方向に亘って設けられ、上蓋部１Ａの隅角部を形成する直角面と平行な二面１６，１７が凹陥形成されている。これらの凹陥面１６，１７の下端部には、上蓋部１Ａ上面と平行な面である水平段部１８が形成され、ここにネジ孔１９が設けられる。
【００３６】
取付け用凹部１５の凹陥面１６，１７は、図の手前側の側面と直交する面と、この面と直交しかつ手前側の側面と平行な面との二面となっている。説明の都合上、図の手前側の側面と直交する面をＸ凹陥面１６と呼び、この面と直交しかつ手前側の側面と平行な面をＹ凹陥面１７と呼ぶ。
【００３７】
図３（Ａ）は、完成した空気調和機の室外機に防雪フード２０を取付けた外観を示す斜視図であり、図３（Ｂ）は、防雪フード２０の取付け部を拡大して示す斜視図である。
【００３８】
上記防雪フード２０は、下面側と、図における手前側の面が開口し、両側面と背面および上面は壁部となっている。上壁は、両側壁と背壁の上端形状寸法にもとづいて、図の背面側から前面開口部側へ適宜上方に傾斜形成される。
【００３９】
上記防雪フード２０下端の四隅部を除く下端縁から受け用辺部２０ａが水平に折曲形成され、これら受け用辺部２０ａは上蓋部１Ａの上面に載る。防雪フード２０下端の四隅には、後述する支持脚２１が取付けられる。
【００４０】
第１の実施の形態として示す上記支持脚２１は、平面視でＬ字状に折曲形成され、かつ上下方向に所定長さの片部２２，２３を備えている。一方の片部２２の上端部のみ、たとえばスポット溶接などの手段で防雪フード２０の側壁２０ｂ下部に取付け固定され、防雪フード２０と一体化される。
【００４１】
防雪フード２０に一部が固着される支持脚２１の片部２２は、防雪フード２０の開口部２０ｃ面とは直交する方向に沿う。また、他方の片部２３は、開口部２０ｃ面と平行な方向になって、防雪フード２０から側方へ突出する。
【００４２】
説明の都合上、防雪フード２０の側壁２０ｂに一部が固着される片部をＸ片部２２と呼び、防雪フード２０から突出する片部をＹ片部２３と呼ぶ。特に、Ｘ片部２２の下端縁には、水平方向に折曲される載置用片部２４が設けられる。
【００４３】
すなわち、支持脚２１は、Ｘ片部２２の上端部が防雪フード側壁２０ｂに固着され、他の部分は防雪フード２０の下端縁から下方に突出する。したがって、上記載置用片部２４は、支持脚２１の防雪フード２０から突出する端部に設けられることになる。
【００４４】
なお、上記載置用片部２４はＹ片部２３の下端縁に形成してもよく、Ｘ、Ｙ両片部２２，２３に亘ってもよい。いずれにしても、載置用片部２４には取付け用孔２５が設けられ、上記水平段部１８には取付け用孔２５と連通する部位に上述したネジ孔１９が設けられている。
【００４５】
このようにして、支持脚２１を備えた防雪フード２０が室外機本体１の上蓋部１Ａに支持される。なお説明すれば、防雪フード２０と一体の各支持脚２１を、上蓋部１Ａの取付け用凹部１５に挿入し、支持脚２０下端の載置用片部２４を取付け用凹部１５の水平段部１８上に載せる。
【００４６】
そして、載置用片部２４の取付け用孔２５を介して、水平段部１８のネジ孔１９に取付けネジ２６を螺挿し、載置用片部２４を水平段部１８に取付け固定する。すなわち、上記支持脚２１が上記取付け用凹部１５に取付け固定されることになる。
【００４７】
全ての支持脚２１を対向する取付け用凹部１５に取付け固定すれば、防雪フード２０は室外機本体１に確実に取付けられる。この状態で、取付け用凹部１５のＸ凹陥面１６に支持脚２１のＸ片部２２が密接し、取付け用凹部１５のＹ凹陥面１７に支持脚２１のＹ片部２３が密接する。
【００４８】
空気調和機の冷凍サイクル運転を開始すると、同時に室外送風機８が駆動される。外気は外気吸込み口２から室外機本体１内に吸込まれ、室外熱交換器３を流通して熱交換する。
【００４９】
上記室外熱交換器３は、冷房運転時に冷媒の凝縮作用をなし、暖房運転時に冷媒の蒸発作用をなす。ここで熱交換した外気は、室外送風機８から吹出し口体５を介して防雪フード２０へ吹出され、さらに防雪フード２０の開口部２０ｃから外部へ吹出案内される。
【００５０】
冬季において、たとえ大量の降雪があっても、吹出し口体５は防雪フード２０によって覆われているから、雪によって閉塞されずにすみ、常に、支障なく冷凍サイクル運転が行われる。
【００５１】
また、降雪の有無に拘わらず、強風が吹付けることがある。防雪フード２０は強風に煽られて、主に、防雪フード２０の開口部２０ｃ面に沿う方向（以下、Ｘ方向と言う）の外力と、開口部２０ｃ面とは直交する方向（以下、Ｙ方向と言う）の外力を受ける。
【００５２】
当然、風向として、Ｘ方向に近いＹ方向や、Ｙ方向に近いＸ方向があり、さらにはＸ方向に近いＺ方向や、Ｙ方向に近いＺ方向もしくは、Ｚ方向に近いＸ方向やＹ方向などと複雑であり、いずれの方向にも外力が作用する。しかしながら、結局は、これらの全ての外力は、ほぼＸ方向とＹ方向とに集約される。
【００５３】
防雪フード２０に対してＸ方向の外力が繰り返し作用すると、防雪フード２０に取付けられる支持脚２１のＸ片部２２が、室外機本体１に設けられる取付け用凹部１５のＸ凹陥面１６に繰り返し押し付けられる。
【００５４】
また、防雪フード２０に対してＹ方向の外力が繰り返し作用すると、防雪フード２０に取付けられる支持脚２１のＹ片部２３が、室外機本体１に設けられる取付け用凹部１５のＹ凹陥面１７に繰り返し押し付けられる。
【００５５】
換言すれば、防雪フード２０と一体の支持脚２１にＸ−Ｙいずれの方向の外力が繰り返し作用しても、Ｘ−Ｙ片部２２，２３を介してＸ−Ｙ凹陥面１６，１７が全ての外力を受ける。Ｘ‐Ｙ凹陥面１６，１７はどのような状態にあっても固定化されていて、変形することはない。
【００５６】
したがって、外力が支持脚２１の載置用片部２４に作用する以前に遮断吸収され、載置用片部２４と水平段部１８まで外力の影響が及ばない。当然、載置用段部２４を水平段部１８に取付ける取付けネジ２６にも外力が作用しない。
【００５７】
結局、防雪フード２０が強風に煽られて強い外力を受けても、防雪フード２０を室外機本体１に取付け固定する取付けネジ２６には外力が作用せず、したがって水平段部１８に設けられるネジ孔１９に金属疲労が発生しない。防雪フード２０の脱落は完全に防止され、長期に亘って安全性を保持する。
【００５８】
図４（Ａ）は、完成した空気調和機の室外機に防雪フードを取付けた外観を示す斜視図であり、図４（Ｂ）は、防雪フードの取付け部を拡大して示す斜視図である。
【００５９】
ここでは、第２の実施の形態として、後述する支持脚２１Ａのみ先に説明したものと構成が相違し、他の構成部品の全ては先に説明したものと構成が同一であるので、同部品には同番号を付して新たな説明を省略する。
【００６０】
上記取付け用凹部１５の構成は全く同一であり、支持脚２１Ａにおいては、Ｘ片部２２と、Ｙ片部２３および載置用片部２４が一体に折曲形成され、載置用片部２４に取付け用孔２５が設けられることは変わりがない。
【００６１】
したがって、載置用片部２４が取付け用凹部１５の水平段部１８上に載り、取付けネジ２６で取付けられた状態で、Ｘ片部２２がＸ凹陥面１６に密接し、Ｙ片部２３がＹ凹陥面１７に密接する。
【００６２】
支持脚２１Ａを構成するＸ片部２２の側端縁に沿って、補強用片部２７が一体に折曲形成される。上記補強用片部２７は、Ｘ片部２２の上下方向の略中間部から下端縁に亘って設けられ、Ｘ片部２２とは直交する方向で、Ｙ片部２３とは平行な方向になる。
【００６３】
補強用片部２７は、Ｘ片部２３下端縁からさらに下方に突出し、上蓋部１Ａの下端縁近傍まで延在される。支持脚２１Ａが取付け用凹部１５に取付けられた状態で、補強用片部２７が上蓋部１Ａの手前側の側面に密接する。
【００６４】
上記防雪フード２０にとって、開口部２０ｃ面の下方に支持脚２１Ａの補強用片部２７を備えることになる。補強用片部２７に設けられる取付け用孔２８を介して、上蓋部１Ａに設けられる図示しないネジ孔に取付けネジ２６が螺挿され、各支持脚２１Ａは室外機本体１に２ヶ所づつ取付けられる。
【００６５】
このように、支持脚２１Ａに補強用片部２７を設けたので、先に説明したＸ方向とＹ方向の外力に対する防雪フード２０への影響を阻止することのほか、強風が防雪フード２０の開口部２０ｃに吹付けて、防雪フード２０を浮き上がらせようとしても、補強用片部２７が確実に規制する。
【００６６】
したがって、特に図示しないが、Ｙ片部に沿って開口部面がある防雪フードにおいては、Ｙ片部の側端縁に補強用片部を備えるとよい。また、開口部面に拘わりなく、Ｘ、Ｙ片部の両方の側端縁に補強用片部を一体に折曲形成すれば、より確実な浮き上がり防止を得られる。
【００６７】
図５（Ａ）は、完成した空気調和機の室外機に防雪フードを取付けた外観を示す斜視図であり、図５（Ｂ）は、防雪フードの取付け部を拡大して示す斜視図である。
【００６８】
第３の実施の形態として、基本的には、先に第２の実施の形態として説明した支持脚２１Ａが防雪フード２０に一体に取付けられている。そして、室外機本体１の上蓋部１Ａに備えられる取付け用凹部１５に、上記支持脚２１Ａが取付け固定される。
【００６９】
ここでは、防雪フード２０の開口部２０ｃにおける左右両側に位置する各支持脚２１Ａ、２１Ａの、補強用片部２７，２７相互に亘って補強板３０が掛け渡されている。
【００７０】
上記補強板３０の両側部に設けられる取付け用孔３１と、補強用片部２７に設けられる取付け用孔２８および上蓋部１Ａに設けられる図示しないネジ孔に取付けネジ２６が螺挿されて、補強板３０と補強用片部２７とが室外機本体１に共締めされる。
【００７１】
さらに、補強板３０の中間部は取付けネジ２６により直接、室外機本体１の上蓋部１Ａに取付け固定される。したがって、左右両側の支持脚２１Ａ，２１Ａは、補強板３０を介して極めて強固に室外機本体１に取付け固定される。
【００７２】
このように、支持脚２１ＡがＸ片部２２と、Ｙ片部２３および補強用片部２７を備えたうえに、左右両側の支持脚２１Ａ，２１Ａを補強板３０で連結固定したので、防雪フード２０に作用する外力をさらに分散させることができ、より確実に防雪フード２０の脱落を防止する。
【００７３】
以上述べたいずれの実施の形態においても、図６に示すように、室外機本体１の上端部位置である高さ寸法は変わらない。ここで上蓋部１Ａは、上述したように隅角部に取付け用凹部１５が設けられる。換言すれば、上蓋部１Ａにおける上記吹出し口体５の基端に、上記取付け用凹部１５が設けられる。
【００７４】
すなわち、上蓋部１Ａの室外機本体１に対する取付け位置は変わらず、取付け用凹部１５を介して吹出し口体５の位置を上方にずらすことになる。その結果、室外送風機８の位置が吹出し口体５に合わせて上方にずれ、新たに形成された空きスペース分だけ室外熱交換器３の上端面位置を上方へずらせる。
【００７５】
このようにして、室外熱交換器３の高さ寸法を上方へ延ばし、よって熱交換容量の増大化が得られることになる。しかも、室外機本体１上端面に上蓋部１Ａの取付け用凹部１５が載り、取付けネジ２６による上蓋部１Ａの室外機本体１への取付けにあたっては、何らの面倒もなく容易に行える。
【００７６】
また、室外機本体１を構成する上蓋部１Ａに設けられる取付け用凹部１５は、上述したように、防雪フード２０の取付けを兼ねることは、先に説明したとおりである。上蓋部１Ａは、合成樹脂材から成形されるものであるから、上記取付け部１５を得るのは容易である。
【００７７】
【発明の効果】
以上説明したように本発明によれば、室外機本体の高さ寸法を変えずに室外熱交換器の上端面位置を高くとり、室外熱交換器の熱交換容量の増大化を得られるという効果を奏する。
【図面の簡単な説明】
【図１】本発明の実施の形態を示す、空気調和機の室外機を一部切欠して省略した斜視図。
【図２】同実施の形態を示す、室外機の外観斜視図と、取付け用凹部の斜視図。
【図３】同実施の形態を示す、防雪フードを備えた室外機の外観斜視図と、防雪フード取付け部の斜視図。
【図４】異なる実施の形態を示す、防雪フードを備えた室外機の外観斜視図と、防雪フード取付け部の斜視図。
【図５】さらに異なる実施の形態を示す、防雪フードを備えた室外機の外観斜視図と、防雪フード取付け部の斜視図。
【図６】本発明の実施の形態を示す、空気調和機の室外機を一部断面図。
【図７】従来の、防雪フードを備えた室外機の外観斜視図と、防雪フード取付け部の側面図。
【図８】従来の、空気調和機の室外機の一部断面図。
【符号の説明】
２…外気吸込み口、
５…吹出し口体、
３…室外熱交換器、
８…室外送風機、
２０…防雪フード、
１５…取付け用凹部、
１６…Ｘ凹陥面、
１７…Ｙ凹陥面、
１８…水平段部、
２１，２１Ａ…支持脚、
２２…Ｘ片部、
２３…Ｙ片部、
２４…載置用片部、
２７…補強用片部、
３０…補強板。
【図１】
0003927822.tif 000002
【図２】
0003927822.tif 000003
【図３】
0003927822.tif 000004
【図４】
0003927822.tif 000005
【図５】
0003927822.tif 000006
【図６】
0003927822.tif 000007
【図７】
0003927822.tif 000008
【図８】
0003927822.tif 000009